(57)【要約】  ハウジング（３４）と、ハウジング（３４）内の送受信器回路（３０）と、ハウジングと結びつけられたにおいのする混合物とを備えることを特徴とする、可搬無線通信デバイス（１０）。送受信器（３０）は、ユーザが１以上の離れた人と、無線通信ネットワークの基地局サブシステムを介して通信することを可能にする。においのする混合物は、においのする混合物が活性化された時ならいつでも、においを放出する。活性化は可搬無線通信デバイス（１０）のキーパッド上でユーザがキーを押すことに応じて起こってもよいし、あらかじめ定められた温度を超える、放出された熱に応じて起こってもよい。
2010504034.tif 000002
【特許請求の範囲】
【請求項１】
ハウジング（３４）と、
前記ハウジング（３４）内に配置され、無線通信ネットワークと信号を通信するように構成された送受信器回路（３０）と、
前記ハウジングと結びつけられ、活性化されることに応じてにおいを放出するように構成されたにおいのする混合物とを備えることを特徴とする、可搬無線通信デバイス（１０）。
【請求項２】
前記においのする混合物は、前記においを放出するために熱によって活性化されることを特徴とする、請求項１に記載の可搬無線通信デバイス。
【請求項３】
前記においのする混合物は、前記ハウジング（３４）内の電子部品（４４）に付けられることを特徴とする、請求項２に記載の可搬無線通信デバイス。
【請求項４】
前記においのする混合物は、前記ハウジング（３４）内のシールド（４８）へと付けられることを特徴とする、請求項２に記載の可搬無線通信デバイス。
【請求項５】
前記においのする混合物は、前記ハウジング（３４）に形成された開口（５８）を通して、前記可搬無線通信デバイス（１０）の内部へと挿入される、取り替え可能なタブレット（５６）を含むことを特徴とする、請求項２に記載の可搬無線通信デバイス。
【請求項６】
キーパッドアセンブリ（１８）をさらに備え、  前記においのする混合物は、前記キーパッドアセンブリ（１８）の１以上の層を互いに接着し、ユーザによるキーの押下に応じて前記においを放出するように構成されていることを特徴とする、請求項１に記載の可搬無線通信デバイス。
【請求項７】
前記キーパッドアセンブリ（１８）は、前記においのする混合物に前記においを放出させるために前記においのする混合物と接触する、アクティベータ（７９）を含むことを特徴とする、請求項６に記載の可搬無線通信デバイス。
【請求項８】
前記キーパッドアセンブリ（１８）は、１以上の空気路（７８）を備え、  前記ユーザによるキーの押下によって排出される空気が、前記においのする混合物と交わって移動することを特徴とする、請求項６に記載の可搬無線通信デバイス。
【請求項９】
前記においのする混合物は、においのする接着剤（５２）を含むことを特徴とする、請求項１に記載の可搬無線通信デバイス。
【請求項１０】
前記においは、前記においのする混合物が活性化された時に、前記ハウジング（３４）を通り抜けるにおいのよい芳香を含むことを特徴とする、請求項１に記載の可搬無線通信デバイス。
【請求項１１】
前記においのする混合物（９０）が、前記ハウジングの外部に付けられることを特徴とする、請求項１に記載の可搬無線通信デバイス。
【請求項１２】
可搬無線通信デバイス（１０）を使うようにユーザを仕向ける方法であって、
可搬無線通信デバイス（１０）のハウジング（３４）内に、無線通信ネットワークと信号を通信するように構成された送受信器回路（３０）を配置する工程と、
活性化された時ににおいを放出するように構成されたにおいのする混合物を、ハウジング（３４）と結びつける工程と、
前記においを放出するように前記においのする混合物を活性化する工程とを含むことを特徴とする方法。
【請求項１３】
前記においのする混合物を活性化する前記工程は、前記においのする混合物に熱を加える工程を含むことを特徴とする、請求項１２に記載の方法。
【請求項１４】
においのする混合物を前記ハウジング（３４）と結びつける前記工程は、前記においのする混合物を前記ハウジング（３４）内の電子部品（４４）に付ける工程を含むことを特徴とする、請求項１３に記載の方法。
【請求項１５】
においのする混合物を前記ハウジング（３４）と結びつける前記工程は、前記においのする混合物を前記ハウジング（３４）内のシールド（４８）に付ける工程を含むことを特徴とする、請求項１３に記載の方法。
【請求項１６】
においのする混合物を前記ハウジング（３４）と結びつける前記工程は、取り替え可能なタブレット（５６）を、前記可搬無線通信デバイス（１０）の前記ハウジング（３４）に形成された開口（５８）へと挿入する工程を含むことを特徴とする、請求項１３に記載の方法。
【請求項１７】
においのする混合物を前記ハウジング（３４）と結びつける前記工程は、前記ハウジング（３４）ににおいのする混合物を結びつける前記工程は、キーパッドアセンブリ（１８）の１以上の層を、前記においのする混合物を用いて互いに接着する工程を含むことを特徴とする、請求項１２に記載の方法。
【請求項１８】
前記においを放出するように前記においのする混合物を活性化する工程は、ユーザによるキーの押下に応じて、前記においのする混合物を、前記キーパッドアセンブリ（１８）に結びつけられたアクティベータ（７９）と接触させる工程を含むことを特徴とする、請求項１７に記載の方法。
【請求項１９】
前記においを放出するように前記においのする混合物を活性化する工程は、ユーザによるキーの押下に応じて、前記においのする混合物の上を通して空気を排出する工程を含むことを特徴とする、請求項１７に記載の方法。
【請求項２０】
前記においのする混合物は、においのする接着剤（５２）を含むことを特徴とする、請求項１２に記載の方法。
【請求項２１】
前記においは、前記においのする混合物が活性化された時に前記ハウジング（３４）を通り抜ける、においのよい芳香を含むことを特徴とする、請求項１２に記載の方法。
【請求項２２】
においのする混合物を前記ハウジング（３４）と結びつける前記工程は、前記においのする混合物を前記ハウジング（３４）の外部に付ける工程を含むことを特徴とする、請求項１２に記載の方法。
【発明の詳細な説明】
【技術分野】
【０００１】
本発明は、概して可搬無線通信デバイスに関し、特に香りを放出する可搬無線通信デバイスに関する。
【背景技術】
【０００２】
消費者はよく、可搬無線通信デバイスを購入する時に、革新的な特徴および新しい機能を求める。もちろん、一度は新しく革新的であったものに対する消費者の関心は、急速に衰える。このように、製造業者及びサービス提供者は、消費者の要求に追いつこうと時折苦心する。新しい特徴を十分に速く市場に投入できなかった者は、自分自身が市場での占有率を失っていることに気づくだろう。それゆえ、競争相手のデバイスではなく、自分たちの可搬無線通信デバイスを買うようにユーザを仕向ける新しい特徴を提供すれば、製造業者は利益を得ることができるだろう。
【０００３】
もっとも人気があり、広く用いられている特徴は、離れた人と会話する能力であり続けている。典型的にはユーザは、分単位の時間のブロックを、固定料金でサービス提供者から購入する。分を示す数字がより大きい時間ブロックは、たいてい分を示す数字がより小さい時間ブロックよりも価格が高い。それゆえサービス提供者は、ユーザが通常するであろうよりもより多くより長い時間、彼らの可搬無線通信デバイスを使うようにユーザを仕向ける特徴によってもまた、利益を得ることができるだろう。
【発明の概要】
【課題を解決するための手段】
【０００４】
セル電話のような可搬無線通信デバイスは、ハウジングと、ハウジング内の送受信器回路と、ハウジングと結びつけられ活性化された時ににおいを放出する混合物とを備える。においは例えば、人間の嗅覚によって感知可能なにおいのよい芳香であってもよい。
【０００５】
一実施形態においてはこの混合物は、ハウジング内に配置された、熱により活性化されるにおいのする接着層を含む。においのする接着層は、ラベルを電子部品に接着するために用いられてもよいし、ラベルを１以上の電子部品を電気的に遮蔽するシールドに接着するために用いられてもよい。この電子部品は、使用中に熱を放出する。一度熱があらかじめ定められた温度を超えると、においのする接着層はにおいを放出する。このにおいはそして、可搬無線通信デバイスのハウジングを通り抜けるだろう。部品があらかじめ定められた温度よりも下まで冷えると、においのする接着層はにおいの放出をやめる。
【０００６】
他の実施形態では、混合物はキーパッドアセンブリの１以上の操作層を１つにするために使われる接着層を含む。これらの実施形態では、ユーザがキーボード上の１以上のキーを押すことに応じて、においのする接着層はにおいを放出する。１つの特別の実施形態では、キーを押すことによりアクティベータがにおいのする接着層と接触し、この接触に応じてにおいを放出する。他の特別の実施形態では、キーを押すことによりにおいのする接着層の上を通して空気を排出する。排出された空気はにおいと混ざり合い、可搬無線通信デバイスのハウジングを通り抜ける。
【図面の簡単な説明】
【０００７】
【図１】本発明の一実施形態に従って構成された、可搬無線通信デバイスのいくつかの構成部分を示す、ブロック図である。
【図２】本発明の一実施形態に従って構成された、可搬無線通信デバイスの外観図である。
【図３】本発明の一実施形態に従って構成された可搬無線通信デバイスのハウジング内に配置された、プリント配線板（ＰＣＢ）の表面を示す。
【図４Ａ】本発明の熱活性化の一実施形態を示す、断面図である。
【図４Ｂ】本発明の熱活性化の他の実施形態を示す、断面図である。
【図５】本発明の熱活性化の他の実施形態に従って構成された可搬無線通信デバイスを示す、側面図である。
【図６】本発明の一実施形態に従った使用に適した、キーパッドアセンブリの拡大図である。
【図７Ａ】、
【図７Ｂ】本発明の圧力感応性の一実施形態を示す、キーパッドアセンブリの拡大断面図である。
【図８】本発明の一実施形態に従う、キーパッドアセンブリの操作層の１つを示す。
【図９Ａ】、
【図９Ｂ】本発明の他の実施形態を示す、キーパッドアセンブリの拡大断面図である。
【図１０】本発明の他の実施形態に従って構成された、可搬無線通信デバイスの外観図である。
【発明を実施するための形態】
【０００８】
本発明は、においを放出するように構成された可搬無線通信デバイスに向けられている。においはたとえば、人間、動物、または昆虫の嗅覚によって感知されうる、独特な臭気であってもにおいのよい芳香であってもよい。においは、快いものであっても快くないものであってもよい。このようなにおいの例には、ユーザが種々の香水、花、スパイス等のどれかと同等に考える臭気又は芳香を含むが、これらには限られない。においは、フェロモンであってもよい。フェロモンは、生物によって生成される臭気であって、似ている生物の間でのコミュニケーションのために用いられる。例えば、人間はフェロモンを「におい」として感知することはできないだろうが、それにもかかわらずフェロモンは嗅覚によって感知可能であり、それゆえ「におい」という用語が本明細書で用いられる時、フェロモンは「におい」という用語の意味にはっきりと含まれる。
【０００９】
本発明の一実施形態に従うと、熱感応性のにおいのする混合物がデバイス１０のハウジングの中、デバイス１０の内部回路の近くに配置されている。１以上の電子部品を含んでいてもよいデバイス１０の内部回路は、動作中に熱を放出する。例として、ユーザが離れた人に電話をかけ、または電話を受信する時ならいつでも、回路は熱を放出するだろう。本発明の一実施形態は、熱感応性のにおいのする混合物ににおいを放出させるために、この放出された熱を有利に利用する。そのにおいは、ハウジングの自然の開口を通って、もしくはハウジングに特別に形成された開口を通って、又はその双方を通って、デバイス１０のハウジングを通り抜ける。
【００１０】
図１及び２は、本発明とともに好適に用いられる、可搬無線通信デバイス１０を示す。詳細な説明及び図においては、可搬無線通信デバイス１０はセルラ電話として具体的に表現される。しかし、このことは単に説明目的のために過ぎない。当業者なら、携帯情報端末（ＰＤＡ）、パームトップ若しくはラップトップコンピュータ、又はコンピュータ若しくは衛星電話に含まれる通信モジュールを含むがこれらには限られない、他の形式の可搬消費者電子デバイスとして、又は他の形式の可搬通信デバイスとして本発明が実現されてもよいことを、理解すべきである。
【００１１】
可搬無線通信デバイス１０は、ユーザインタフェース（ＵＩ）１２と、ハウジング３４内に配置された回路１４とを含む。ＵＩ１２は、ディスプレイ１６、キーパッド１８、スピーカ２０、及びマイクロホン２２を含む。回路１４は、コントローラ２４、オーディオＩ／Ｏ回路２６、メモリ２８、及びアンテナ３２に接続された送受信器回路３０を含む。離れた人と通信することに関するＵＩ１２及び回路１４の動作は、従来技術においてよく知られている。それゆえ、この機能は本明細書では詳細には述べられない。本発明の目的のためには、デバイス１０は十分に機能的な、任意の既知の規格に従って動作可能なセルラ無線デバイスであることを理解すればよい。このような規格は、グローバル・システム・フォー・モバイル・コミュニケーションズ（ＧＳＭ）、ユニバーサル・モバイル・テレコミュニケーション・システム（ＵＭＴＳ）、ＴＩＡ／ＥＩＡ−１３６、符号分割多元接続（ＣＤＭＡ）、ｃｄｍａＯｎｅ、ｃｄｍａ２０００、及び広帯域(Wideband)ＣＤＭＡを含むが、これらには限られない。
【００１２】
前に述べたように、本発明の一実施形態は、回路１４によって放出された熱を、においのする混合物を活性化するために有利に利用する。特に、においのする混合物は、放出された熱があらかじめ定められた閾値温度に達する温度か、あらかじめ定められた閾値温度を超える温度において、においを放出する。そのにおいは、デバイス１０のハウジングの自然の開口を通って、もしくはデバイス１０のハウジングに特別に形成された１以上の穴３６を通って、又はその双方を通って、デバイス１０を通り抜ける。
【００１３】
図３〜４は、本発明によって意図される、いくつかの熱活性化の実施形態を示す。これらの実施形態においては、プリント配線板（ＰＣＢ）４０が、デバイス１０のハウジング３４内に配置されている。ＰＣＢ４０は、典型的にはＰＣＢ４０の表面４２に結合又は配置された１以上の電子部品を含む。このような部品は、どんな種類の増幅器、変換器及びマイクロプロセッサをも含むが、これらには限られない。この実施形態において例えば、ＰＣＢ４０は信号処理チップ４４を含む。従来技術において知られているように、１以上のシールド４８が、ハウジング３４内での電気的干渉効果を緩和し又は防止するために、回路１４上のこれらの電子部品のいくつかを電気的に遮蔽するために用いられてもよい。
【００１４】
信号処理チップ４４とシールド４８との少なくとも一方は、デバイス１０又は構成部品に関する様々な情報を伝えるラベル５０を含んでいてもよい。典型的には製造業者は、見分ける目的のために、又は所定の品質管理プロセスを成功裏に完了したことを示すために、製造プロセスの間にラベル５０を信号処理チップ４４とシールド４８との少なくとも一方に取り付ける。本発明の一実施形態に従うと、信号処理チップ４４とシールド４８との少なくとも一方にラベル５０を付けるために、接着剤が用いられる。この接着剤は、信号処理チップ４４とシールド４８との少なくとも一方によって放出された熱が、あらかじめ定められた温度に達するか又はあらかじめ定められた温度を超えた時ならいつでもにおいを放出する、熱で活性化されるにおいのする接着混合物を含んでもよい。
【００１５】
図４Ａは、熱で活性化されるにおいのする接着混合物５２がラベル５０を信号処理チップ４４の外表面へと直接接着する、一実施形態を示す。図４Ｂは、熱で活性化されるにおいのする接着混合物が、送受信器回路５４の一部分を実質的に覆うシールド４８の外表面へとラベル５０を直接接着する、他の実施形態を示す。ほとんど使われないか全く使われない期間の間は、信号処理チップ４４、シールド４８及びにおいのする接着混合物５２は、あらかじめ定められた温度よりも低いままである。この温度よりも低いと、においのする接着混合物５２は、においを放出しない不活性なままである。しかしながら使用中は、信号処理チップ４４とシールド４８との少なくとも一方は熱を生成し放出する。一度信号処理チップ４４とシールド４８との少なくとも一方があらかじめ定められた温度に達するか又はあらかじめ定められた温度を超えると、においのする接着混合物５２は活性化されにおいを放出する。
【００１６】
においのする接着混合物５２は、におい又は臭気を所定の温度において放出する、１以上の化学物質又は組成物と混合された、又は組み合わせられた、当該技術分野において既知であるどんな接着混合物を含んでもよい。例えば一実施形態において接着混合物は、商業的に入手可能などんなにおいのよい精油の一種と混合されてもよい。この油は花のような自然のものから抽出されてもよく、複数のオイル又は他のにおいのよい物質を混合することにより人工的に作り出されてもよく、又は当該技術分野において既知の何らかの手段を用いて合成して生成されてもよい。他の実施形態においては、ラベル５０を信号処理チップ４４とシールド４８との少なくとも一方に貼り付ける前に、これらの油は接着混合物の表面上に単純に吹きかけられ又は散布されてもよい。
【００１７】
当業者なら本発明は、熱感応性のにおいのする混合物を活性化するために、電子部品と直接接触することを必要としないことに留意すべきである。また本発明は、熱感応性のにおいのする混合物が接着剤であることも必要としない。例えば図５は、接着剤ではないにおいのするタブレット５６がハウジング３４に形成されたスロット又は開口５８へと挿入される、他の熱活性化の実施形態を示す。においのするタブレット５６は、商業的に入手可能な熱感応性のにおいのよい油の一種のどんなものを有していてもよい、実質的に堅く塊様である素子を含む。においのするタブレット５６が挿入された時に、回路１４の１以上の電子部品の近くに、実際にその部品に接触することなく位置するように、開口５８は構成されていてもよい。回路１４によって放出された熱は、前に述べたようににおいのするタブレット５６を活性化してもよい。放出されたにおいはそして、ハウジング３４の自然の開口を通って、若しくはハウジング３４の１以上の穴３６を通って、又はその双方を通って、通り抜けてもよい。この特別の実施形態は、ユーザがにおいのするタブレット５６を、必要とされ又は希望される他のどんな異なるにおいのするタブレット５６とも交換できるという点で、利点を提供する。
【００１８】
図６〜７は、においのする接着混合物５２が、キーパッドアセンブリ６０の複数の層を１つに接着するために用いられる、他の実施形態を示す。この実施形態においては、においのする接着混合物５２は、ユーザがキーパッド１８上のキーを押したときにはいつでもにおいを放出するように、圧力感応性である。
【００１９】
この実施形態においては、においのする接着混合物５２は、それぞれの直径が数ミクロンであるだろう、複数のゼラチン状又は可塑性の小球体を含む。それぞれの小球体は、少量の芳香性の油又は他のにおいをもつ物質を、内部に閉じ込めている。ユーザがキーを押すといつでも、アクティベータがにおいのする接着混合物５２に接触する。この接触により、１以上のこれらの小球体が破壊され、においを放出する。いくつかの実施形態では、においのする接着混合物４６を摩擦しながら接触させるように、アクティベータの表面はわずかにぎざぎざをつけられ又は荒くされている。この摩擦のある接触は、１以上の小球体を破壊し、においを放出する。
【００２０】
キーパッドアセンブリ６０は、ＰＣＢ４０と、ドーム状カバーシート７０と、マイラー（登録商標）カバーシート８０と、キーパッド１８とを含む。においのする接着混合物５２は、それぞれの層を１以上の隣の操作層に接着するために用いられてもよい。ＰＣＢ４０は、本実施形態において、向かい側の表面４２である表面４３を含む。ＰＣＢ表面４３は、ユーザによるキーの押下を記録するスイッチの一部として動作する、複数の導電性接点６２を含む。１以上の接点６２は、導電路６８を介して、隣の接点に接続されていてもよい。それぞれの接点６２は、外側導電路６６から絶縁されかつ外側導電路６６に関して同心状に配置された、内側導電路６４を含む。
【００２１】
ドーム状カバーシート７０は、穴を開けられたシート７２に接着された、複数の導電性ドームスイッチ７４を含む。ドーム状カバーシートは、ＰＣＢ４０とマイラーカバーシート８０との間に配置されてもよい。それぞれのドームスイッチ７４は、概してくぼんだ形をしており、単一の接点６２の内側導電路６４及び外側導電路６６に揃えられるように、穴を開けられたシート７２上に位置している。特に、特定のドームスイッチ７４の周縁は、ＰＣＢ表面４３上の対応する外側導電路６６に揃えられ、その外側導電路６６と接触している。ドームスイッチ７４の内部に形成された先端７２は、内側導電路６４に揃えられ、内側導電路６４の上方に間隔を置いて配置されている。ユーザがキーを押すと、先端７６が内側導電路６４と接触させられるように、対応するドームスイッチ７４は変形する。接触すると、先端７６とドームスイッチ７４の周縁とは、内側導電路６４と外側導電路６６とにそれぞれ接触し、回路を完成させる。この回路の完成が、キーの押下として記録される。
【００２２】
マイラーカバーシート８０は、ドーム状カバーシート７０とキーパッド１８との間に配置される。マイラーカバーシート８０は、ドーム状カバーシート７０とキーパッド１８との双方に、においのする接着混合物５２を用いて接着してもよい。マイラーカバーシート８０は、複数のフレキシブル部分８４を含むように形成された、穴を開けられたシート８２を含んでもよい。それぞれのフレキシブル部分８４は、ユーザがキーパッド１８上のキーを押した時にはいつでも、対応するドームスイッチ７４の頂点と接触するようにされる、先端８６を含んでもよい。この接触は、ドームスイッチ７４を前に述べたように変形させる。
【００２３】
本発明の圧力活性化の実施形態に従うと、ドーム状カバーシート７０は、ユーザがキーを押した時ならいつでもにおいのする接着混合物５２と摩擦しながらかみ合う、アクティベータ７９を含む。このにおいのする接着混合物５２との摩擦しながらの接触は、においのする接着混合物５２中の１以上の小球体を破壊し、においを放出させる。
【００２４】
図７Ａ〜７Ｂは、例としてのキーパッドアセンブリ６０の断面図を示す。明確化のために、図７Ａ〜７Ｂは１つのドームスイッチ７４の拡大図を示す。しかしながら当業者なら、これらの図及び対応する記述は、他のドームスイッチ６４に対しても等しく適用可能であることを理解するだろう。
【００２５】
図７Ａ〜７Ｂに見られるように、ドーム状シート７０は穴を開けられたシート７２上に形成された１以上のアクティベータ７９を含む。ドームスイッチ７４が内側導電路６４と接触するように変形されると（図７Ｂ）、アクティベータ７９は、ドーム状カバーシート７０をＰＣＢ４０へと接着する、においのする接着混合物５２の一部分と接触させられる。このにおいのする接着混合物５２との摩擦しながらの接触により、においのする接着混合物５２に対応するにおいを放出する。においはドーム状カバーシート７０とマイラーカバーシート８０とに形成された穴を通ってハウジング３４へと漂い、前に述べたようにハウジング３４から外に出る。
【００２６】
前の実施形態では、においのする接着混合物５２をドーム状カバーシート７０とＰＣＢ表面４３との間に配置している。しかしながら当業者なら、においのする接着混合物の層５２が、キーパッドアセンブリ６０のどの層を互いに接着してもよいことを理解すべきである。このように、アクティベータ７９はドーム状カバーシート７０上にのみ形成されるように限られるものではない。他の実施形態ではマイラーカバーシート８０は、摩擦しながらマイラーカバーシート８０とドーム状カバーシート７０との間に配置されたにおいのする接着混合物５２に接触し、においのする接着混合物５２を活性化するアクティベータ７９を含む。同様に、キーパッド１８上のキーは、キーパッド１８とマイラーカバーシート８０との間に配置されたにおいのする接着混合物５２に摩擦しながら接触し、においのする接着混合物５２を活性化するアクティベータ７９を含むことができる。
【００２７】
図８〜９は、においのする接着混合物５２がドーム状カバーシート６０をＰＣＢ表面４３へと接着する、他の実施形態を示す。本実施形態ではにおいのする接着混合物５２は、活性化のために熱又は接触を必要としない。むしろ、ユーザがキーパッド１８上のキーを押した時にはいつでも、ドームスイッチ７４の下から空気が排出される。空気がにおいのする接着混合物５２に交わって(across)移動すると、においのする混合物の小粒子が空気の流れに乗る。
【００２８】
図８に見られるように、ドーム状カバーシート７０は、１以上のドームスイッチ７４を相互に接続する１以上の空気路７８を含んでもよい。複数の穴７７が、１以上の空気路７８に沿って形成されていてもよい。空気路７８は、においのする接着混合物５２とドーム状カバーシート７０の下部との間の空間を形成する（図９Ａ）。これらの空気路７８内の空気は、においのする接着混合物５２と接触し、自由ににおいと混ざり合う。
【００２９】
ドームスイッチ７４が、ユーザがキーを押すのに応えて変形すると、空気はドームスイッチ７４の下から空気路７８へと排出される（図９Ｂ）。引き続いてこのことは、空気路７８内の既ににおいのする空気を、ドーム状カバーシート７０の穴７７を通して、さらにマイラーカバーシート８０の穴を通して押し出す。においのする空気はそして、前に述べたようにハウジング３４を通って通り抜けるだろう。
【００３０】
本明細書に明示的に記載されたこれらの方法以外に、においのする混合物に対してそのにおいを放出される他の方法が存在することを、当業者なら容易に理解するだろう。図１０は例えば、においのするパッド９０がハウジング３４の外部に接着された実施形態を示す。においのするパッド９０は、ユーザがデバイスを持つ時ならいつでも活性化されるであろう、においのよいオイル又は芳香を含む。一実施形態においては、においのするパッド９０は、ユーザの体温に応じてにおいを放出する。他の実施形態では、においのするパッド９０は圧力により活性化される。特に、ユーザがデバイスを握り又は持つ時ならいつでも、１以上の小球体は破壊されにおいを放出する。ユーザがデバイスを持っていないときには、においのするパッド９０はにおいを放出することをやめるだろう。
【００３１】
他の実施形態では、ハウジング３４内に配置されたにおいのする混合物を通して電流が流される。例として電流は、あらかじめ定められたイベントの間にだけ、例えばユーザが信号を送信若しくは受信したり、マイクロホン２２に向かって話したり、又はスピーカ２０から聞き取り可能な音を聞いたりする時にはいつでも、生成されてよい。これらの実施形態では、電流は例えば送受信器２８又はオーディオＩ／Ｏ回路２６から得られてもよく、この電流はにおいのする混合物に印加されるだろう。電流はにおいのする混合物を熱することができ、これによってにおいのする混合物ににおいを放出させるだろう。
【００３２】
詳細な説明において、においはユーザにとって快いものであるにおいのよい芳香として論じられていることに留意すべきである。しかしながら、このにおいはユーザにより芳香として容易に認識される必要はない。例えば、前に述べられた小球体は、実際に特定の芳香をにおいとして感じることは不可能でありながらユーザの嗅覚が感知できる、少量のフェロモンを含んでいてもよい。さらに、においのする混合物は、昆虫によって感知可能な化学物質によって満たされていてもよい。このような場合、ユーザは芳香をにおいとして感じることができるかもしれないし、できないかもしれない。
【００３３】
本発明はもちろん、本発明の必須の特徴から逸脱することなく、本明細書において具体的に述べられたのとは別の方法で実行されてもよい。本実施形態は、あらゆる観点において説明的なものであって制限的なものではないと考えられるべきであり、添付の請求の範囲の意図する範囲内、並びにその均等範囲内となる全ての変更は、本発明に含まれることが意図されている。
【図１】
2010504034.tif 000003
【図２】
2010504034.tif 000004
【図３】
2010504034.tif 000005
【図４Ａ】
2010504034.tif 000006
【図４Ｂ】
2010504034.tif 000007
【図５】
2010504034.tif 000008
【図６】
2010504034.tif 000009
【図７Ａ】
2010504034.tif 000010
【図７Ｂ】
2010504034.tif 000011
【図８】
2010504034.tif 000012
【図９Ａ】
2010504034.tif 000013
【図９Ｂ】
2010504034.tif 000014
【図１０】
2010504034.tif 000015
【手続補正書】
【提出日】平成20年2月21日(2008.2.21)
【手続補正１】
【補正対象書類名】特許請求の範囲
【補正対象項目名】全文
【補正方法】変更
【補正の内容】
【特許請求の範囲】
【請求項１】
ハウジング（３４）と、
前記ハウジング（３４）内に配置され、無線通信ネットワークと信号を通信するように構成された送受信器回路（３０）と、
前記ハウジング内の電子部品（４４）に取り付けられるように構成された、前記電子部品に関する情報を持つ情報ラベルと、
前記情報ラベルを前記電子部品の外表面へと接着するように構成され、かつ前記電子部品によって放出された熱があらかじめ定められた閾値を超えた時ににおいを放出するように構成された、熱感応性のにおいのする接着剤とを備えることを特徴とする、可搬無線通信デバイス（１０）。
【請求項２】
前記情報ラベルは、前記電子部品を特定する情報を含むことを特徴とする、請求項１に記載の可搬無線通信デバイス。
【請求項３】
前記情報ラベルは、品質管理プロセスが成功裏に完了したことを示す情報を含むことを特徴とする、請求項１に記載の可搬無線通信デバイス。
【請求項４】
前記電子部品はＲＦシールド（４８）を含み、
前記においのする接着剤は、前記情報ラベルを前記ＲＦシールドの外表面へと接着するために、前記ＲＦシールドの外表面に付けられることを特徴とする、請求項１に記載の可搬無線通信デバイス。
【請求項５】
ハウジング（３４）と、
前記ハウジング（３４）内に配置され、無線通信ネットワークと信号を通信するように構成された送受信器回路（３０）と、
ユーザの入力を受け取るように構成された、多層キーパッドアセンブリ（１８）と、
前記多層キーパッドアセンブリ（１８）をプリント配線板（ＰＣＢ）へと接着するように構成され、かつユーザによるキーの押下に応じてにおいを放出するように構成されていることを特徴とする、においのする接着剤とを備えることを特徴とする、可搬無線通信デバイス（１０）。
【請求項６】
前記多層キーパッドアセンブリは穴を開けられた第１の層と穴を開けられた第２の層とを備え、
前記においのする接着剤は前記第１の層を前記ＰＣＢへと接着することを特徴とする、請求項５に記載の可搬無線通信デバイス。
【請求項７】
前記第１の層は、前記においの接着剤に前記においを放出させるために前記においのする接着剤と接触する、アクティベータ（７９）を備えることを特徴とする、請求項６に記載の可搬無線通信デバイス。
【請求項８】
前記キーパッドアセンブリ（１８）は、１以上の空気路（７８）を備え、
前記ユーザによるキーの押下によって排出された空気が、前記においのする接着剤と交わって移動することを特徴とする、請求項７に記載の可搬無線通信デバイス。
【請求項９】
可搬無線通信デバイス（１０）を使うようにユーザを仕向ける方法であって、
可搬無線通信デバイス（１０）のハウジング（３４）内に、無線通信ネットワークと信号を通信するように構成された送受信器回路（３０）を配置する工程と、
情報ラベルを前記ハウジング（３４）内の電子部品へと接着するために、熱感応性のにおいのする接着剤を用いる工程であって、前記においのする接着剤は、前記電子部品によって放出された熱があらかじめ定められた閾値を超えた時ににおいを放出するように構成されている工程とを含むことを特徴とする方法。
【請求項１０】
前記情報ラベルは、前記電子部品を特定する情報を含むことを特徴とする、請求項９に記載の方法。
【請求項１１】
前記情報ラベルは、品質管理プロセスが成功裏に完了したことを示す情報を含むことを特徴とする、請求項９に記載の方法。
【請求項１２】
情報ラベルを前記ハウジング（３４）内の電子部品へと接着するために、熱感応性のにおいのする接着剤を用いる前記工程は、実質的に前記電子部品を囲むＲＦシールドに前記情報ラベルを接着するために、前記においのする接着剤を用いる工程を含むことを特徴とする、請求項９に記載の方法。
【請求項１３】
可搬無線通信デバイス（１０）を使うようにユーザを仕向ける方法であって、
可搬無線通信デバイス（１０）のハウジング（３４）内に、無線通信ネットワークと信号を通信するように構成された送受信器回路（３０）を配置する工程と、
ユーザの入力を受け取る多層キーパッドアセンブリを前記ハウジング内に配置する工程と、
においのする接着剤を用いて、前記多層キーパッドアセンブリ（１８）をプリント配線板（ＰＣＢ）の表面へと接着する工程と
ユーザによるキーの押下に応じて、においを放出するように前記においのする接着剤を活性化する工程とを含むことを特徴とする方法。
【請求項１４】
前記においを放出するように前記においのする接着剤を活性化する前記工程は、ユーザによるキーの押下に応じて、前記においのする接着剤を、前記キーパッドアセンブリ（１８）に結びつけられたアクティベータ（７９）と接触させる工程を含むことを特徴とする、請求項１３に記載の方法。
【請求項１５】
前記においを放出するように前記においのする混合物を活性化する前記工程は、ユーザによるキーの押下に応じて、前記においのする混合物の上を通して空気を排出する工程を含むことを特徴とする、請求項１３に記載の方法。
【請求項１６】
前記キーパッドアセンブリは、穴を開けられた１以上の層を備え、
前記においは、前記においのする接着剤が活性化された時に前記穴を開けられた１以上の層を通り抜ける、においのよい臭気を含むことを特徴とする、請求項１３に記載の方法。
【手続補正書】
【提出日】平成21年4月28日(2009.4.28)
【手続補正１】
【補正対象書類名】特許請求の範囲
【補正対象項目名】請求項１５
【補正方法】変更
【補正の内容】
【請求項１５】
前記においを放出するように前記においのする接着剤を活性化する前記工程は、ユーザによるキーの押下に応じて、前記においのする接着剤の上を通して空気を排出する工程を含むことを特徴とする、請求項１３に記載の方法。
【手続補正２】
【補正対象書類名】明細書
【補正対象項目名】０００６
【補正方法】変更
【補正の内容】
【０００６】
他の実施形態では、混合物はキーパッドアセンブリの１以上の操作層を１つにするために使われる接着層を含む。これらの実施形態では、ユーザがキーボード上の１以上のキーを押すことに応じて、においのする接着層はにおいを放出する。１つの特別の実施形態では、キーを押すことによりアクティベータがにおいのする接着層と接触し、この接触に応じてにおいを放出する。他の特別の実施形態では、キーを押すことによりにおいのする接着層の上を通して空気を排出する。排出された空気はにおいと混ざり合い、可搬無線通信デバイスのハウジングを通り抜ける。
それゆえ、少なくとも１つの実施形態において本発明は、ハウジングと、前記ハウジング内に配置され、無線通信ネットワークと信号を通信するように構成された送受信器回路と、前記ハウジングと結びつけられ、活性化されることに応じてにおいを放出するように構成されたにおいのする混合物とを備えることを特徴とする、可搬無線通信デバイスを提供する。
前記においのする混合物は、一実施形態において、前記においを放出するために熱によって活性化されてもよい。
他の実施形態においては、前記においのする混合物は、前記ハウジング内の電子部品に付けられてもよい。
他の実施形態においては、前記においのする混合物は、前記ハウジング内のシールドへと付けられてもよい。
前記においのする混合物は、前記ハウジングに形成された開口を通して、前記可搬無線通信デバイスの内部へと挿入される、取り替え可能なタブレットを含んでもよい。
前記可搬無線通信デバイスはまた、キーパッドアセンブリ（１８）を備えてもよい。これらの実施形態においては、前記においのする混合物は、前記キーパッドアセンブリの１以上の層を互いに接着し、ユーザによるキーの押下に応じて前記においを放出するように構成されていてもよい。
一実施形態においては、前記キーパッドアセンブリは、前記においのする混合物に前記においを放出させるために前記においのする混合物と接触する、アクティベータを含んでもよい。
他の実施形態においては、前記キーパッドアセンブリは、１以上の空気路を備える。前記ユーザによるキーの押下によって排出される空気は、前記においのする混合物と交わって移動する。
一実施形態においては、前記においのする混合物は、においのする接着剤を含んでもよい。
前記においは、前記においのする混合物が活性化された時に、前記ハウジングを通り抜けるにおいのよい芳香であってもよい。
一実施形態においては、前記においのする混合物が、前記ハウジングの外部に付けられる。
本発明はまた、可搬無線通信デバイスを使うようにユーザを仕向ける方法を提供する。一実施形態において本方法は、可搬無線通信デバイス（１０）のハウジング（３４）内に、送受信器回路（３０）を配置する工程を含む。前記送受信回路（３０）は、無線通信ネットワークと信号を通信するように構成されていてもよい。本方法はまた、活性化された時ににおいを放出するように構成されたにおいのする混合物を、ハウジング（３４）と結びつける工程を含む。本方法はまた、前記においを放出するように前記においのする混合物を活性化する工程を含む。
一実施形態においては、前記においのする混合物を活性化する前記工程は、前記においのする混合物に熱を加える工程を含む。
一実施形態においては、においのする混合物を前記ハウジング（３４）と結びつける前記工程は、前記においのする混合物を前記ハウジング（３４）内の電子部品（４４）に付ける工程を含む。
他の実施形態においては、においのする混合物を前記ハウジング（３４）と結びつける前記工程は、前記においのする混合物を前記ハウジング（３４）内のシールド（４８）に付ける工程を含む。
他の実施形態においては、においのする混合物を前記ハウジング（３４）と結びつける前記工程は、取り替え可能なタブレット（５６）を、前記可搬無線通信デバイス（１０）の前記ハウジング（３４）に形成された開口（５８）へと挿入する工程を含む。
他の実施形態においては、においのする混合物を前記ハウジング（３４）と結びつける前記工程は、キーパッドアセンブリ（１８）の１以上の層を、前記においのする混合物を用いて互いに接着する工程を含む。
前記においを放出するように前記においのする混合物を活性化する工程は、ユーザによるキーの押下に応じて、前記においのする混合物を、前記キーパッドアセンブリ（１８）に結びつけられたアクティベータ（７９）と接触させる工程を含んでもよい。
他の実施形態においては、前記においを放出するように前記においのする混合物を活性化する工程は、ユーザによるキーの押下に応じて、前記においのする混合物の上を通して空気を排出する工程を含む。
前記においのする混合物は、においのする接着剤（５２）を含んでもよい。さらに前記においは、前記においのする混合物が活性化された時に前記ハウジング（３４）を通り抜ける、においのよい芳香を含んでもよい。
一実施形態においては、においのする混合物を前記ハウジング（３４）と結びつける前記工程は、前記においのする混合物を前記ハウジング（３４）の外部に付ける工程を含む。
【国際調査報告】
2010504034.tif 000016
2010504034.tif 000017
2010504034.tif 000018